【手続補正書】
【提出日】平成17年6月30日(2005.6.30)
【手続補正１】
【補正対象書類名】明細書
【補正対象項目名】発明の名称
【補正方法】変更
【補正の内容】
【発明の名称】情報検索方法、情報検索装置、及びプログラム
【手続補正２】
【補正対象書類名】明細書
【補正対象項目名】特許請求の範囲
【補正方法】変更
【補正の内容】
【特許請求の範囲】
【請求項１】
検索対象情報を保持する保持手段と検索条件を指定する指定手段を備える情報検索装置における情報検索方法であって、
前記検索対象情報から抽出された第１のキーワードを正規化用のリストに基づいて第１の標準表記に正規化する第１の正規化工程と、
前記第１の標準表記を検索用見出しとして前記保持手段に登録する登録工程と、
前記指定手段で指定された検索条件から抽出された第２のキーワードを前記正規化用のリストに基づいて第２の標準表記に正規化する第２の正規化工程と、
前記検索用見出しから前記第２の標準表記を検索する検索工程と、
を備えることを特徴とする情報検索方法。
【請求項２】
前記検索対象情報には、テキスト文書または画像が付随した文書を含むことを特徴とする請求項１記載の情報検索方法。
【請求項３】
前記登録工程で、固有の文書ＩＤが付与された前記検索対象情報を登録することを特徴とする請求項１記載の情報検索方法。
【請求項４】
前記正規化用のリストは、異表記、異体字、同義語、類義語等の単語を所定単位にまとめていることを特徴とする請求項１記載の情報検索方法。
【請求項５】
前記第１または第２の標準表記は、前記所定単位の単語を代表する表記であることを特徴とする請求項４記載の情報検索方法。
【請求項６】
前記所定単位の単語に単語群ＩＤが付与されていることを特徴とする請求項４記載の情報検索方法。
【請求項７】
前記第１または第２のキーワードは、自立語であることを特徴とする請求項１記載の情報検索方法。
【請求項８】
前記登録工程で、前記文書ＩＤと前記第１の標準表記とを対応付けて登録することを特徴とする請求項３記載の情報検索方法。
【請求項９】
前記登録工程で、前記文書ＩＤと前記第１のキーワードの付属語情報とを対応付けて登録することを特徴とする請求項３記載の情報検索方法。
【請求項１０】
前記登録工程で、前記第１のキーワードの品詞を登録することを特徴とする請求項１記載の情報検索方法。
【請求項１１】
前記登録工程で、同じ第１の標準表記が出現する個数を登録することを特徴とする請求項１記載の情報検索方法。
【請求項１２】
前記検索の検索結果を評価する評価工程をさらに備えることを特徴とする請求項１記載の情報検索方法。
【請求項１３】
検索対象情報を保持する保持手段と、
検索条件を指定する指定手段と、
前記検索対象情報から抽出された第１のキーワードを正規化用のリストに基づいて第１の標準表記に正規化する第１の正規化手段と、
前記第１の標準表記を検索用見出しとして前記保持手段に登録する登録手段と、
前記指定手段で指定された検索条件から抽出された第２のキーワードを前記正規化用のリストに基づいて第２の標準表記に正規化する第２の正規化手段と、
前記検索用見出しから前記第２の標準表記を検索する検索手段と、
を備えることを特徴とする情報検索装置。
【請求項１４】
検索対象情報を保持する保持手段と検索条件を指定する指定手段を備える情報検索装置の情報検索方法をコンピュータに実行させるプログラムであって、
前記検索対象情報から抽出された第１のキーワードを正規化用のリストに基づいて第１の標準表記に正規化する第１の正規化モジュールと、
前記第１の標準表記を検索用見出しとして前記保持手段に登録する登録モジュールと、
前記指定手段で指定された検索条件から抽出された第２のキーワードを前記正規化用のリストに基づいて第２の標準表記に正規化する第２の正規化モジュールと、
前記検索用見出しから前記第２の標準表記を検索する検索モジュールと、
を備えることを特徴とするプログラム。
【手続補正３】
【補正対象書類名】明細書
【補正対象項目名】０００１
【補正方法】変更
【補正の内容】
【０００１】
【発明の属する技術分野】
本発明は、コンピュータ等において文書等の情報を検索する場合に適用される情報検索方法、情報検索装置、及びプログラムに関する。
【手続補正４】
【補正対象書類名】明細書
【補正対象項目名】００１１
【補正方法】変更
【補正の内容】
【００１１】
本発明は、上述した点に鑑みなされたものであり、自然文による検索を行なうときの検索漏れを解消し、操作性を大幅に向上し、検索処理を最小限に抑え、検索速度の高速化を実現可能とした情報検索方法、情報検索装置、及びプログラムを提供することを第１の目的とする。
【手続補正５】
【補正対象書類名】明細書
【補正対象項目名】００１２
【補正方法】変更
【補正の内容】
【００１２】
また、本発明は、検索対象情報や内部処理に要するメモリを節約し、検索対象情報の検索処理や、検索対象情報への追加登録処理を高速に実行可能とした情報検索方法、情報検索装置、及びプログラムを提供することを第２の目的とする。
【手続補正６】
【補正対象書類名】明細書
【補正対象項目名】００１３
【補正方法】変更
【補正の内容】
【００１３】
また、本発明は、検索結果が多数存在した場合においても、検索者の探したい情報をより早く取得し、操作性の向上を可能とした情報検索方法、情報検索装置、及びプログラムを提供することを第３の目的とする。
【手続補正７】
【補正対象書類名】明細書
【補正対象項目名】００１４
【補正方法】変更
【補正の内容】
【００１４】
【課題を解決するための手段】
上記目的を達成するため、本発明は、検索対象情報を保持する保持手段と検索条件を指定する指定手段を備える情報検索装置における情報検索方法であって、前記検索対象情報から抽出された第１のキーワードを正規化用のリストに基づいて第１の標準表記に正規化する第１の正規化工程と、前記第１の標準表記を検索用見出しとして前記保持手段に登録する登録工程と、前記指定手段で指定された検索条件から抽出された第２のキーワードを前記正規化用のリストに基づいて第２の標準表記に正規化する第２の正規化工程と、前記検索用見出しから前記第２の標準表記を検索する検索工程と、を備えることを特徴とする。
【手続補正８】
【補正対象書類名】明細書
【補正対象項目名】００１５
【補正方法】変更
【補正の内容】
【００１５】
また、本発明は、検索対象情報を保持する保持手段と、検索条件を指定する指定手段と、前記検索対象情報から抽出された第１のキーワードを正規化用のリストに基づいて第１の標準表記に正規化する第１の正規化手段と、前記第１の標準表記を検索用見出しとして前記保持手段に登録する登録手段と、前記指定手段で指定された検索条件から抽出された第２のキーワードを前記正規化用のリストに基づいて第２の標準表記に正規化する第２の正規化手段と、前記検索用見出しから前記第２の標準表記を検索する検索手段と、を備えることを特徴とする。
【手続補正９】
【補正対象書類名】明細書
【補正対象項目名】００１６
【補正方法】変更
【補正の内容】
【００１６】
また、本発明は、検索対象情報を保持する保持手段と検索条件を指定する指定手段を備える情報検索装置の情報検索方法をコンピュータに実行させるプログラムであって、前記検索対象情報から抽出された第１のキーワードを正規化用のリストに基づいて第１の標準表記に正規化する第１の正規化モジュールと、前記第１の標準表記を検索用見出しとして前記保持手段に登録する登録モジュールと、前記指定手段で指定された検索条件から抽出された第２のキーワードを前記正規化用のリストに基づいて第２の標準表記に正規化する第２の正規化モジュールと、前記検索用見出しから前記第２の標準表記を検索する検索モジュールと、を備えることを特徴とする。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００６９
【補正方法】変更
【補正の内容】
【００６９】
【発明の効果】
以上説明したように、本発明によれば、従来の技術で問題になっていた、自然文による検索を行なうときの検索漏れを解消することができる。また、論理式入力時の検索者の負担を軽くすることができるために、操作性を大幅に向上することができる。更に、検索処理を最小限に抑えることができ、検索速度の高速化を実現できるという効果を得ることができる。
【手続補正１３】
【補正対象書類名】明細書
【補正対象項目名】００７０
【補正方法】変更
【補正の内容】
【００７０】
また、情報検索装置内における単語の扱いは文字列ではなくＩＤとしているために、検索対象情報や内部処理に要するメモリを節約することができるほか、検索対象情報の検索処理や、検索対象情報への追加登録処理において、高速に処理を実行することが可能となる効果を得ることができる。
【手続補正１４】
【補正対象書類名】明細書
【補正対象項目名】００７１
【補正方法】変更
【補正の内容】
【００７１】
また、検索結果が多数存在した場合においても、検索者の探したい情報をより早く得ることが可能となり、操作性の向上という効果を得ることができる。
【手続補正１５】
【補正対象書類名】明細書
【補正対象項目名】符号の説明
【補正方法】変更
【補正の内容】
【符号の説明】
１  入力装置
２  ＣＰＵ
３  出力装置
４  記憶装置
４−１  処理プログラム
４−２  標準表記データ
４−３  検索用データ